(57)【特許請求の範囲】
【請求項１】
複数本のアイアンゴルフクラブから成るアイアンゴルフクラブセットであって、
前記複数本のアイアンゴルフクラブの各番手間のトウダウン量比を、ゴルファーの回転角速度と腕の長さを一定とする条件下で、０．９〜１．１に設定したアイアンゴルフクラブセット。
【請求項２】
前記複数本のアイアンゴルフクラブのクラブ番手が、少なくとも番手♯３，番手♯４，番手♯５である請求項１に記載のアイアンゴルフクラブセット。
【発明の詳細な説明】
【０００１】
【発明の属する技術分野】
この発明は、アイアンゴルフクラブセットに係わり、更に詳しくは特にロングアイアン群からミドルアイアン群までの複数本のアイアンゴルフクラブセット（例えば、番手＃３，番手＃４，番手＃５、好ましくは番手＃２〜番手＃６）において、異番手間のゴルフクラブのトウダウン量を略一定に設定し、安定した方向性を常に得ることが出来るアイアンゴルフクラブセットに関するものである。
【０００２】
【従来の技術】
従来、アイアンゴルフクラブをセットで販売しているものを購入しても、その各クラブが持っているトウダウン特性はまちまちである。従って、同一プレーヤーが同じスタンスでスウィングすると、その現象として、例えば、＃３アイアンゴルフクラブでスウィングしたときと、＃５アイアンゴルフクラブでスウィングしたときとでは、クラブフェース面でボールを捉える位置がまちまちであった。
【０００３】
その結果、ボールの弾道は左右にバラツキが大きくなり、また理想のポイントでヒットしないときには、目的とする飛距離を損なうと言うアイアンゴルフクラブにとって致命的な欠点を生じていた。
なお、ここで同一スタンスとは、アドレス時にクラブフェース面の相似的同一部分でボールの位置合わせをすることを言う。
【０００４】
このトウダウン現象とは、ティーアップしたゴルフボールの中心に対して、クラブヘッドのフェース面中心を位置合わせし、次いでゴルフクラブをスウィングした時にクラブヘッドにかかる遠心力と重力との作用からクラブシャフトが撓んで、クラブヘッドのフェース面中心が、ゴルフボールの中心に対して内側に移動する現象であり、その当初の中心からの移動量をトウダウン量と言う。
【０００５】
【発明が解決しようとする課題】
従って、ユーザーが購入した従来のアイアンゴルフクラブセットは、その各番手が持っている、所謂トウダウン量がまちまちである。このため、例え同一セット内でも番手が異なるゴルフクラブを同じスタンスでスウィングすると、トウダウン現象のためクラブフェースでボールを捉える位置が異なる結果、ボールの飛ぶ方向性が違ったものとなった。
【０００６】
同一セットのアイアンゴルフクラブを選定しても、必ずしも同じ方向へ打球が飛ぶとは限らず、各番手のゴルフクラブに慣れるまでには、それぞれのゴルフクラブ番手のトウダウン量を把握して練習する必要があり、相当の期間を費やすことにならざるを得ない。
【０００７】
この発明の目的は、複数本のアイアンゴルフクラブセットの各番手間のトウダウン量を略一定に設定しておくことで、ユーザーがどの番手のアイアンゴルフクラブを選定する場合にも、トウダウン量が同一のものを所有することになり、ゴルフクラブをスウィングする際に番手間の違和感が小さく、しかも番手違いのアイアンゴルフクラブであってもスタンスを同じにしてスウィングすることが出来、安定した方向性を常に得ることが出来るアイアンゴルフクラブセットを提供することにある。
【０００８】
【課題を解決するための手段】
この発明は上記目的を達成するため、複数本のアイアンゴルフクラブから成るアイアンゴルフクラブセットにおいて、前記複数本のアイアンゴルフクラブの各番手間のトウダウン量比を、ゴルファーの回転角速度と腕の長さを一定とする条件下で、０．９〜１．１に設定したことを要旨とするものである。
前記アイアンゴルフクラブは、少なくとも番手♯３，番手♯４，番手♯５であり、また各番手間のトウダウン量比を、０．９〜１．１に設定するものである。
【０００９】
ここで、トウダウン量比（λij＝δi ／δj ）とは、各番手のゴルフクラブをスウィングした時にクラブシャフトが撓んでクラブヘッドがプレーヤー側に引き寄せられた時の各番手間の移動距離の比を言う。
上記のように複数本の異種クラブ番手を統一が取れるように組合せて成るアイアンゴルフクラブセットで、異番手間のトウダウン量比を略一定に設定することで、ゴルフクラブをスウィングする際にも番手間の違和感が小さく、しかも番手違いのアイアンゴルフクラブであってもスタンスを同じにしてスウィングすることが出来、安定した方向性を常に得ることが出来るものである。
【００１０】
【発明の実施の形態】
この発明において、「等価トウダウン量」とは、次のようにして計算されるもで力学的に詳述すると、以下のようになる。
即ち、図２のウッドゴルフクラブを参照して説明すると、ゴルフクラブを振ることによる遠心力（Ｆ）は、以下のように表わされる。
【００１１】
なお、以下の式における記号は、下記の意味を有するものである。
ω：各ゴルファー固有の回転角速度
ｅ：シャフト軸線からのヘッド重心距離
ｒ：クラブ長さ
ｒ0 ：プレーヤーの腕の長さ
ｍ：ヘッド質量
Ｆ：ゴルフクラブを振ることによる遠心力
Ｍ：モーメント（Ｍ）
（ＥＩ）eq：シャフト等価曲げ剛性
Ｆ＝ｍＲω2 （但し、Ｒ＝ｒ＋ｒ0 ）・・・（１）
この遠心力（Ｆ）と、ｅ（シャフト軸線からのヘッド重心距離）とにより、モーメント（Ｍ）が生ずる。
【００１２】
Ｍ＝ｅＦ＝ｅｍＲω2   ・・・・・・・・・（２）
このモーメント（Ｍ）によってシャフトは曲げ変形を受けて撓む。この量を等価トウダウン量δeqとすると、以下のようになる。
【００１３】
【数１】
0004043068.tif 000002
【００１４】
然し、上記の式において、シャフトの曲げ剛性は、シャフト全長にわたる剛性分布の積分値を用いるのが良いが、ここではゴルフ業界で用いられる周知の３点曲げによる曲げ剛性（ＥＩ）eqを用いる。
【００１５】
またここで、３点曲げとは、スパン８００mmでシャフト単体をチップ先端から６５０mmの位置を加圧し、圧接子が５０mm変位したときの反力を測定した値を使用した。
このような現象の結果、実際にティーアップしたゴルフボールＱの中心に対して、クラブヘッド１のフェース面３の中心Ｐ（一般にスイートスポット）の位置は、アドレス位置よりプレーヤー側に所定距離Ｌ（一般に５mm〜３０mm程度）だけずれることになり、ティーアップしたゴルフボールＱの中心に対して、クラブヘッド１のフェース面３の中心Ｐは、トウ側にはずれて打球することになる。
【００１６】
このため、ゴルフボールＱの弾き出す方向が定まらず、プレーヤーが狙った目標方向に飛ばなかったり、また不安定となる現象が生じていた。
また、上記のトウダウン現象により、ゴルフボールＱを打球する位置が外れた場合には、クラブヘッド１の最大の反発特性が得られず、飛距離を損なう確率も増大すると言う問題があった。
【００１７】
【実施例】
例えば、本願発明等が実際に、新規に設計したゴルフクラブを評価するため、スウィングロボットのアームにゴルフクラブを装着し、アドレス時にゴルフボールＱをクラブヘッド１のフェース面３の中心Ｐに位置合わせしてスウィングすると、殆どゴルフボールＱは真っ直ぐに飛ばないことが多いことが判った。
【００１８】
そこで、本願発明者等は、上記のような現象を解決すべく、種々の検討や実験を行った結果、ゴルフボールＱが真っ直ぐに飛ばない原因の一つとして、上述したトウダウン現象であることの知見を得た。
以下、添付図面に基づき、この発明の実施形態を説明する。
図１は、この発明を実施したアイアンゴルフクラブセット（この実施形態では、特にロングアイアンクラブからミドルアイアンゴルフクラブの番手＃３，番手＃４，番手＃５を図示してあるが、実際には、番手＃１〜番手＃６等から構成されるものである）の一部構成図を示している。
【００１９】
なお、この発明では、フルショットをしないミドルアイアンゴルフクラブからショートアイアンゴルフクラブ（例えば、番手＃７〜番手＃９，ＰＷ，ＳＷ，ＡＷ等）では、トウダウン量の影響がすくないため、アイアンゴルフクラブセットといった場合には、ロングアイアンクラブからミドルアイアンゴルフクラブを言うものとする。
【００２０】
上記アイアンゴルフクラブのクラブヘッド１１は、ロフト角α1 〜α3 がそれぞれ異なり、例えば、図１の（ａ）に示す番手＃３のクラブヘッドのロフト角α1 は、一般に２２°〜２５°、図１の（ｂ）に示す番手＃４のロフト角α2 は、一般に２５°〜２７°、図１の（ｃ）に示す番手＃５のロフト角α3 は、一般に２８°〜３０°に設定されて、順次ボールを上げやすく設計されている。
【００２１】
この発明の実施形態を示すゴルフクラブシャフト１２の一部には、トウダウン量（δ）mmに相当する識別記号Ｐが表示してあり、特にロングアイアンからミドルアイアンまでの複数本から成るクラブセットとして、トウダウン量（δ）mmを表示するのが好ましい。
即ち、トウダウン量（δ）mmを記号Ｍを表示する場合には、図１（ａ），（ｂ），（ｃ）に示すように、δ actＭと言った表示をクラブセット全体のシャフト１２に表示するのが好ましい。
【００２２】
次に、この発明の実施例，１，２，３と比較例１を、下記の表１に示し、またロボット試打試験による方向性のバラツキを表２に示す。
アイアンゴルフクラブの場合
【００２３】
【表１】
0004043068.tif 000003
【００２４】
以上のように、同一のトウダウン量のアイアンゴルフクラブセットを有していることで、番手間の違和感が小さく、しかも番手違いのゴルフクラブであってもスタンスを同じにしてスウィングすることが可能となり、方向性を重視した理想的な弾道を得ることが出来るものである。
【００２５】
【発明の効果】
この発明は、上記のように複数本のアイアンゴルフクラブを統一が取れるように組み合せて成るアイアンゴルフクラブセットであって、前記複数本のアイアンゴルフクラブの各番手間のトウダウン量比を、ゴルファーの回転角速度と腕の長さを一定とする条件下で、０．９〜１．１に設定したので、複数本の異番手からなるアイアンゴルフクラブ間に、全く違和感が小さく、しかもスタンスを同じにしてスウィングすることが出来、安定した方向性を常に得ることが出来る効果がある。
【図面の簡単な説明】
【図１】（ａ）〜（ｃ）は、この発明の実施形態を示すアイアンゴルフクラブセット、特に＃３，＃４，＃５の一部構成図である。
【図２】一般のウッドゴルフクラブを例にしたトウダウン量の説明図である。
【符号の説明】
１１  クラブヘッド                １２  ゴルフクラブシャフト
【図１】
0004043068.tif 000004
【図２】
0004043068.tif 000005